(57)【要約】      （修正有）【課題】現物色材の弊害なしに混色、測色を広い色空間において可能にする。【解決手段】タブレット端末でのＣＩＥ表色系とＣＭＹ混色法によって得られるモニタ発色ならば、ほとんど無数の光源色、透過色とも対応できる無限と云える混色が可能となり、しかも、計算に組み込む分光分布は現実フィルター値以外に、現実にはない理想的、仮想的なＣＭＹ分光分布を原色として導入する。【選択図】図６
2014207647.tif 000002
【特許請求の範囲】
【請求項１】
タブレット端末（スマホ、携帯パソコン等）を用い、そこで色計算をおこなう減法混色の原色として、  ▲１▼現実にある各種ＣＭＹフィルターと無彩色ＮＤフィルターの分光透過率を用いる（Ａｃｔｕａｌ  モード）、および、▲２▼現実にはない理想的また仮想的ＣＭＹと無彩色ＮＤ等の各種の仮想分光分布を用いた（Ｖｉｒｔｕａｌ  モード）二つの色計算モードのそれぞれにおいて得られるあらゆる濃度の組み合せを、▲３▼透過色、反射色別、また、▲４▼標準光源Ａ、Ｂ、Ｃ、Ｄ５０、Ｄ５５、Ｄ６５、Ｆ８別に色計算（ＸＹＺ、ｘｙ、Ｌａｂ、およびマンセルＨＶＣ）をおこない、その計算値と等しい色をモニタ画面に＜ＣＩＥデジタル色標準＞として発色させ、▲５▼発色した該＜デジタル色標準＞と反射型と透過型被測色体と視感等色させて視感測色値を、▲６▼反射型無彩色グレイスケール板と等色する該＜デジタル色標準＞のｘｙ値から光源の色質、色温度、蛍光灯の種類（Ｄ，Ｎ，Ｗ，ＷＷ等）を、▲７▼反射型無彩色グレイスケール板と等色する該＜デジタル色標準＞のｘｙ値を、ＣＩＥ標準観測者の数値（ＣＩＥ標準値）と比較しその偏差を見出すことによって観測者の色覚特性を、▲６▼測色データの明確な色票、フィルター色材等を用いてモニタ本体の明度調整および混色値検証を可能とすることによって、▲７▼また、任意の分光透過率、分光反射率を入力すればそのＣＩＥ計算値と等しいモニタ発色が得られる計算メニュー、▲８▼および色名検索、逆検索による代表色、ＨＶＣ値、ＣＩＥ数値と等しい発色を可能にする色名帳的、また色彩事典的機能をもつよう構成し、光源色から、混色、測色、色表示、色分析、色調節、色覚検証にいたる色問題を総合的に解決可能にしたことを特徴するタブレット端末によるＣＭＹデジタル色標準システム。
【請求項２】
請求項１において、  タブレット端末の裏面側に、標準光源色を発色する照明光源機能をもたせ、これをＣＩＥ表色系のＡ、Ｂ、Ｃ、Ｄ５０，５５，６５等の標準光源色に色質を変換して、被測色部を照明可能にしたことを特徴とするタブレット端末によるＣＩＥ  ＣＭＹデジタル色標準システム。
【請求項３】
請求項１において、  タブレット端末に装着し、光源からくる照明光とモニタ発色による該＜デジタル色標準＞からくる光をグラスファイバーでアイカップの比色部に導入し、両光を併置して比色、等色を可能にしたタブレットの比色用アダプター装置。
【発明の詳細な説明】
【発明の詳細な説明】
【技術分野】
【０００１】  本発明は、ＣＭＹ減法混色法とＣＩＥ  ＸＹＺ表色法により、光色判定から混色、測色、表色、色分析、色覚判定をも可能にする、スマホ、タブレット端末（以下タブレット）を用いるこれまでにないＣＩＥ  ＣＭＹ系総合色標準システムに関わる。
【背景技術】
【０００２】  今日の代表的表色系にはマンセル表色系とＣＩＥ表色系（ＸＹＺ系等）があるが、両者ともに、基本的に色の大きさと云う概念も加減算できる尺度もなく、減法三原色にまったく対応せず、簡単に色を加減算して混色し色を測って調節するということができない。光源色判定には別にカラーメーターを要し、色覚判定は対象とされていない。  １）つまり、マンセル表色系の問題は、  ▲１▼色標準は物体色の中の「反射色」（反射色）にかぎり、同様に無数に存在する「光源色」、「透過色」にはまったく対応せず、測ることも表すこともできない。  ▲２▼色空間が狭く高彩度色に欠け、色票も目が粗く、多くの色は完全等色はできず、ほとんどは推測するしかなくｘｙ等の厳密な測色値検出ができない。【０００３】  ▲３▼三原色時代にあって三原色に対応せず、ＣＭＹ、ＲＧＢの構成要素、比率、正確なｘｙ、Ｌａｂもわからず色の分析、色の加減算ができない。ある色とある色を混ぜれば何色になるかも皆目わからない。  ▲４▼色の加減算ができないから、色の補正，調整が不能。  ▲５▼「補色」も、色環の反対側にあるという程度にしかわからず、また、  ▲８▼物体色は照明光源によって色が微妙にまた大きく変化するという問題には対応できず、予測もできない。  ▲８▼測色値が正しいかどうかの検証も実証も容易にはできない。  ▲９▼高価で、手軽に持ち運びできず操作性も悪く万人が手軽かつ厳密に色を測る色モノサシとはならない。【０００４】  ２）一方、ＣＩＥ表色法は三原色に対応してより厳密な表・測色が可能とはいえ、その測色には高価な分光色彩計が不可欠とし、ＣＩＥ  ＸＹＺ、ｘｙ、ＨＶＣ数値を知ることはできるが数値を示されてもその色を眼で見ることができず、測定値が正しいかどうかの検証、実証も容易ではない。今日の印刷色再現法のＣＭＹ混色法にはこれもまったく対応せず色の加減算もできないから混色問題、色補正問題の解決にはまったく役立たない。  そのため、現状は、ＣＩＥ表色系そのものの理解が困難な状態にある。つまりこれまでは、視覚と連繋できるシステムがないために理解困難は当然であって、結局は、光源色、透過色も色を眼で見ながら扱えしかも厳密に表・測色し色分析、色調節もできるＣＭＹ法と連繋する、あたらしい色のモノサシが欠けているということである。だから、これまでは「色」のことはすべて断片的にしか捉えられ判らず，知識的にもきわめて貧弱な状態にあるのは仕方がないといえよう。【０００５】  そこで、同一出願人は減法三原色のＣＭＹフィルターに着目しその減法混色法による色体系を「ＣＣフィルター使用の新しいカラーシステム」（参考文献：写真工業／７月号／１９７５年。新版写真技術ハンドブック（ＣＣフィルターによる色の取り扱い法／Ｐ．４１／ダヴィッド社）として提唱し、その後、コンピュータカラーシステム（特許第３２２５２９７号）を開発し、三原色に対応し透過色を含むＣＭＹ混色系カラーシステムとして上記問題点を根本的に改革して色彩術を大きく進化発展させた。
【発明が解決しようとする課題】
【０００６】  しかしながら、この方法もＪＩＳ標準色票同様、目的達成には高価な現物のＣＭＹカラースケールが不可欠、混色、測色操作も時間がかかって容易ではなく、損傷しやすく、厳密にはフィルターの重ね合わせの順序、枚数、多重反射により視感色が変わり、計算数値とフィルター重合色、標準色、モニタ色とも容易に一致させることが非常に困難、そしてマンセル表色系同様に「光源色」問題が解決できず、フィルターがもつ有害分光吸収のために、高彩度色が得られず、高価なＣＭＹスケールを持ち歩かねばならず手軽に使えないという問題点があった。
【課題を解決するための手段】
【０００７】  そこで本発明は、「色」のすべて、つまり光源色判定、混色問題、色覚判定にいたるすべてを網羅包括し、誰もが安価、容易、迅速しかも厳密に解決できる厳密で多機能な総合的色体系の開発を目的とし、その目的達成するために、本発明はＣＩＥ表色系とＣＭＹ法により、タブレット端末のＲＧＢモニタ発色を制御することによって、そこで自在な高彩度色を含む色混色により＜ＣＩＥデジタル色標準＞色を得ることによってその根本問題を解決している。
【０００８】  すなわち、タブレット端末でのＣＩＥ表色系とＣＭＹ混色法によって得られるモニタ発色ならば、ほとんど無数の光源色、透過色とも対応できる無限と云える混色が可能となり、しかも、計算に組み込む分光分布は現実フィルター値以外に、現実にはない理想的、仮想的なＣＭＹ分光分布を原色として導入することによって、現物色材の弊害なしに混色、測色を広い色空間において可能になるよう解決している。
【発明を実施するための最良の形態】
【０００９】  本発明では、世界中で使われるｉＰａｄ、ｉＰｈｏｎｅ等のタブレット端末（スマホ、携帯パソコン等）において、そこで色計算をおこなう減法混色の原色として、▲１▼現実にある各種ＣＭＹフィルターと無彩色ＮＤフィルターの分光透過率を用いる（Ａｃｔｕａｌ  モード）、および、▲２▼現実にはない理想的また仮想的ＣＭＹと無彩色ＮＤ等の各種の仮想分光分布を用いた（Ｖｉｒｔｕａｌ  モード）二つの色計算モードのそれぞれにおいて得られるあらゆる濃度の組み合せを、▲３▼透過色、反射色別、また、▲４▼標準光源Ａ、Ｂ、Ｃ、Ｄ５０、Ｄ５５、Ｄ６５、Ｆ８別に色計算（ＸＹＺ、ｘｙ、Ｌａｂ、およびマンセルＨＶＣ）をおこない、その計算値と等しい色をモニタ画面に＜ＣＩＥデジタル色標準＞として発色させ、▲５▼発色した該＜デジタル色標準＞と反射型と透過型被測色体と視感等色させて視感測色値を、▲６▼反射型無彩色グレイスケール板と等色する該＜デジタル色標準＞のｘｙ値から光源の色質、色温度、蛍光灯の種類（Ｄ，Ｎ，Ｗ，ＷＷ等）を、▲７▼反射型無彩色グレイスケール板と等色する該＜デジタル色標準＞のｘｙ値を、ＣＩＥ標準観測者の数値（ＣＩＥ標準値）と比較しその偏差を見出すことによって観測者の色覚特性を、▲６▼測色データの明確な色票、フィルター色材等を用いてモニタ本体の明度調整および混色値検証を可能とすることによって、▲７▼また、任意の分光透過率、分光反射率を入力すればそのＣＩＥ計算値と等しいモニタ発色が得られる計算メニュー、▲８▼および色名検索、逆検索による代表色、ＨＶＣ値、ＣＩＥ数値と等しい発色を可能にする色名帳的、また色彩事典的機能をもつよう構成し、光源色から、混色、測色、色表示、色分析、色調節、色覚検証にいたる色問題を総合的に解決可能にすることによって解決している。
【発明の効果】
【００１０】  本発明は、減法混色、色調整問題、そして光源色問題、色覚問題にいたる、これまでの表色系ではどれも対象外として解決できなかった、色に関わるあらゆる色問題すべてを、ＣＩＥ表色系の色計算とタブレットのモニタ発色による＜デジタル色標準＞によって、根本的解決を可能としている。（表色系としての画期的特徴）  本発明は、ＣＭＹ表色系のＣＭＹの実際的（Ａｃｔｕａｌ）モード、または仮想的混色（Ｖｉｒ−ｔｕａｌ）モードによってＣＭＹ値を得て、これをＣＩＥ表色系の色計算によりＸＹＺ、ｘ、ｙ、Ｌ＊ａ＊ｂ＊値を、およびＸＹＺ値からマンセル系のＨＶＣ数値を得て、計算値と等しい色をモニタに発色させ、（Ｖｉｒｔｕａｌ）モードでは高彩度色を含めた広い色空間で無数の色を混色し光源色をも測色することが容易安価しかも厳密にできるという、まったく新しい夢の新表色系の誕生である。これにより従来表色系にあった欠陥は全面的にカバーされることによって、色は名実共に定量的につくりはかり、どうして？という色の検証がはじめて実証的に可能となる。ということはこれまでは知ろうとしても不能であった「色の本質」の把握がここにきてはじめて、迅速、容易確実に可能になったということである。
【００１１】  つまり、本発明では、本発明になる＜ＣＩＥデジタル色標準＞実施アプリをダウンロードするだけで高価なＪＩＳ標準色票もＣＭＹ＜カラースケール＞も不要にして、端末のフィルターボタン操作によって無数の透過色と反射色がＣＭＹ三色でつくることができ、標準光源（Ａ、Ｂ、Ｃ、Ｄ５０，５５，６５等）ごとに切り換え＜ＣＩＥデジタル色標準＞として表示し、その基準となる＜ＣＩＥデジタル色標準＞と被測定色を隣接させ両者が等色させて他の分光光度計等の手助けなしに＜ＣＭＹ＋ＮＤ値、およびＣＩＥ表色系のＸＹＺ、ｘ、ｙ、Ｌ＊ａ＊ｂ＊、およびマンセル系のＨＶＣ数値＞を＜分光曲線、色度図＞とともにその色特性のすべてが表示され、さらにブロック型仮想分布（図８参照、）を用いる方法もう一つの（Ｖｉｒｔｕａｌ）モードによって色空間の拡大を可能し、光源色から高彩度色領域での混測色、色覚にいたる、かつてない総合表色系として世界中で容易に利用可能になる効果は、色彩学と色取り扱いに革命的発展をもたらすことが可能になる。
【００１２】（高彩度色、色空間の拡大、（Ｖｉｒｔｕａｌ）モード）  減法ＣＭＹ色は、本来、三原色ＲＧＢ光の吸収体としてＣはーＢ、ＭはーＧ、ＣはーＲとしてＲＧＢの一つだけを吸収し、Ｃ＋Ｍ＝Ｂ、Ｃ＋Ｙ＝Ｇ、Ｇ、Ｙ＋Ｍ＝Ｒの関係で無数の透過色（Ｔ）を加減算しその計算値をモニタにつくる（発色させる）ことができ、反射色（Ｒ）はフィルター下にホワイトベースを用いたときの色計算法によって反射色のＣＩＥ数値（ＣＩＥＸＹＺ、ｘ、ｙ、Ｌ＊ａ＊ｂ＊に加えＨＶＣ値と色表示がモニタ発色部で得ることができることになる。フィルター使用の（Ａｃｔｕａｌ）モードは色材に即した混色、測色ができる。  しかし、現実にある各ＣＭＹフィルターはすべて図８に示したような濃度分布をもち、理想のＢＧＲ吸収以外に、ＣはＲ光以外にＧ光とＲ光を、ＭもＧ光以外にＲ，Ｂ光を若干吸収するという有害分光吸収があるために、たとえばＭとＹの組み合わせでは純なＲとならず、Ｒがオレンジ色に歪み、ＣとＹの組み合わせではとくにＣの有害分光吸収の歪みにより鮮やかな緑が得られない。また、ＣＭＹ三色の組み合わせでは完全な無彩色ができない。
【００１３】  そのため、現実のフィルター使用の（Ａｃｔｕａｌ）モードでは、混合色はすべてにおいて色が歪み高彩度色が得られず測れず、取り扱う色空間が狭いという減法混色上の宿命的な問題があったが、本発明の仮想ブロック型分光分布（Ｖｉｒｔｕａｌ）モードでは、用いる各ＣＭＹ色は図８の有害分光吸収のないブロック的分光分布として、またそのブロックの形態を互いに山形にオーバーラップさせた各種分布を用いた多様な色計算が自由に可能になり、ほとんど無数の＜デジタル色標準＞を計算しモニタに発色させることができ、これによって高彩度色と色空間の上記問題が完全に解決可能になる。
【００１４】（色数無数）  したがって、本発明の（Ａｃｔｕａｌ）モードは、Ｅ社、Ｆ社、Ｌ社別をＡｃｔｕａｌ−Ｅ、Ａｃｔｕａｌ−Ｆといったように各メーカー別の使用フィルター、またインク別、あるいは絵の具別の原色に応じた色取り扱いが可能になる。  また本発明の（Ｖｉｒｔｕａｌ）モードでは、色空間は従来の減法では得られない高彩度色を含めて拡大され、また、発色段階は濃度０．０１７５といった、目が判別可能なぎりぎりの段階、いってみれば無段階での色変化、またＮＤ濃度も無段階での調整が可能になるので、モニタ発色１６７０万色に近い、ほぼ無限の減法色計算が自在に可能になり、精度の高い厳密な色混合と測色が可能になるその効果のほどははかりしれない。
【００１５】（色記録と表示、再現、操作性）  測色は上記のようにして得られる＜ＣＩＥデジタル色標準＞と視感等色させて、標準色票では得られないあざやかなＣＩＥ値と発色が得られ、Ｃ光源による透過色は２０ｃ＋３０ｍ＋５０ｙ／Ｔ／Ｃ、Ａ光源による反射色は３０ｍ＋５０ｙ／Ｒ／Ａといったように、透過（Ｔ）・反射（Ｒ）および光源別により高度な厳密表示が可能になり、スクリーンショットのボタン操作でモニタ画面を記録保存でき、自由に再現自在になるという、従来システムにはまったくなかったデータ保存、再現機能をもたせることができる。機能性はもとより操作性も比較にならないほど迅速、容易に可能になる。
【００１６】（色分析、補色）  そのＣＭＹ数値はそのまま減法三原色量を示し、色の三原色比が判明し、数値は濃度（透過・反射率の常用対数値）であることから色加減算が自由にでき色補正値（ＣＭＹ量差）、補色の算出も容易厳密に得られる。  つまり、補色（反対色）は等ＣＭＹ値から差し引いた残量であるから、たとえば３０ｙの場合は３０ｃ＋３０ｍ、５０ｃ＋４０ｍ＋３０ｙの場合は１０ｍ＋２０ｙが補色であることが実証可能になる。本発明では等ＣＭＹ量は計算値も発色も理想的な色の歪みや偏りがない色検証が視覚的また数値的に容易に得られる。
【００１７】（計算値と発色の検証）  その計算値と発色が正しいかどうかの検証は、透過色の場合は比色窓の発色部の隣に透過率が明確なＣＭＹ、またＮＤフィルターを位置させてみれば条件が整えば、標準観測者の色覚でならば、視覚的にも数値的にも両者が等しく合致する。つまり、タブレットでの計算値は光電測色計で得られる数値（あるいはフィルターメーカーの特性説明書の数値）と、モニタ発色は現物フィルターと等色して見えることになる。  そして、製品によって相違するモニタ発色の微妙な発色特性の問題はアプリケーション側でモニタ特性に応じた微調整をおこなうことができる。なお、本発明は本時点で、すでに、それを達成しているので証拠物件の提出も可能となる。
【００１８】（反射色）  また、反射色については、校正法として各種ＮＤフィルターボタンにより、ＮＤ色を表示させ、光源ボタンを反射（Ｒ）ボタンに切り換え、標準光源下で同一ＮＤ値のＮＤ色票とモニタ色を比色しながら、本体に備えられた「明るさ設定」により両者の明るさが等しくなるように調節すればよく、すべての条件が整えば、本発明の検証データ図９のように多くの場合に近似値を示し両反射色の色が、現物フィルターカラースケール以上により近似値を示すことがわかる。その理由は、冒頭の１）で述べた問題（現物フィルターの有害分光吸収、表面その間の多重反射、重ねる順序による弊害）のない計算色が得られるとともに、かつてない広い色空間において色がはじめて顔料等の色材を使わずに携帯端末で可能になるという、まさに夢の画期的な新＜ＣＩＥデジタル色標準＞表測色法の誕生が可能になった。メートル法同様に自在な色の加減算、厳密測色、自由な色補正、調整までが可能になる。
【００１９】（実証性、検証性）  従来法では色を検証することが困難であった。色票は光電色彩計で測定が必要となり、またその光電色彩計によって得られるデータが正確かどうか、判らない場合が多く、そこに大きな問題があった。しかし、本発明では透過色としてフィルターまた標準色を隣接させ両者がもつＣＩＥ数値と両者の色の比較検証でその＜ＣＩＥデジタル色標準＞の正否が一目瞭然となる。  ということは、本発明は、それら色票、また光電色彩計による測定値が正しいかどうか、照明光源によって色がどのように変わるのかといった検証と実証ができ、実際的色取り扱いの世界を大きく改革可能になる。  付け加えれば、本発明では、実際のフィルター色と理想的な仮想分光分布による両色の計算が可能になるが、いずれの場合も、図９（フィルターメーカーのカタログ記載値、タブレットによるフィルターの分光分布による計算値、仮想のブロック法による計算値の比較）に示されるように、たとえ色の分光分布が異なっても、ＣＩＥ数値が合えば色も合い、色が合えばＣＩＥ数値が合致するということが、無数の例で実証可能にできるその効果は、多くの人に衝撃を与える典型的実証例であろう。
【００２０】（携帯性、操作性）  携帯性も操作性も飛躍的に改善される。従来の現物フィルタースケール法では多数のフィルター片の出し入れが大変面倒で手間取り、等色までに何十秒、何分もかかった色づくり色合わせが本発明ではボタン操作で瞬時的にでき、比色・等色操作も従来法とは比較にならないスピードで可能になる。
【００２１】（色の総合的理解）  すべての色はＣＩＥ数値とモニタ発色、そして分光カーブと色度図で示される。したがって、色は具体的＜発色と数値とカーブとグラフ＞で色の全体像が十二分に示され、色の全体像の理解がはじめて学習できるようになる。  また本発明では、オプションとして、４００ｎｍから７００ｎｍまでの分光分布値を入力するとＸＹＺ測色計算値およびそのモニタ発色を可能とするＣＩＥ色計算メニューを用意するほか、計算値からの色名検索、逆検索により色名からその代表色を、さらに、ｘｙＹ，Ｌａｂ、またＨＶＣ値入力でその正しい色を具体的に＜発色と数値とカーブとグラフ＞によって得ることのできる種々の色計算プログラミングの組み込みが可能となるので、これまでにはできなかった色実務と色の理解、学習が可能となる。そこには、「色」がはじめて判ったと云わせる、従来にはないＣＩＥ視感総合色体系の多様な機能が用意されているからである。
【００２２】  しかも同時に、他の表色系ではほとんどできない「何故そうなのか」の問いに答えることができる本発明の実証性は、色彩学的に遅れていた減法混色法の啓蒙に大きな効果を発揮する。  とくに減法混色はフィルター計算法以外、絵の具等などの方法では容易に論理的に解明ができないので、色の専門家でもよく理解されていない問題であ。そのため、権威ある高価な色彩書でさえその説明が欠落しているほどの超難題であったが、本発明によれば、数値と発色、カーブとグラフによって、手軽にしかも厳密に、論理的、科学的、実証的に明快に解決が可能となる。誰もがいつも身につけている携帯端末で容易迅速、確実に理解させ納得させるその機能はまさに色彩学、色彩術のＩＴ革命と呼ぶにふさわしいものである。
【００２３】  更に、本発明では他の視感色判定法にともなうのと同様、モニタ発色と現物フィルターおよびＪＩＳ標準色票との比色・等色においては、受光器である眼の色覚特性の相違により等色値が異なってくるという問題が発生する。しかし、本発明ではこれは欠点とはならない。そこでは、従来法ができなかった色覚色特性の検証と実証に役立てることができる利点となる  つまり、本発明ではＣＩＥ表色法のＣＩＥ等色関数による計算値で数値と色が示される。そのため、観測者の色感がＣＩＥ標準観測者と等しい場合は色が合致するが、観測者の色感がＣＩＥの等色関数と異なると合致しなくなるという問題からは、個々の眼の色感特性の相違が実証的に検証できる。  ちなみに、ＸＹＺ、ｘｙ、Ｌａｂが明確な無彩色また有彩色色票を判定原器として、標準光源において厳密に等色させた場合の視感測色値の相違は、そのまま観測者のＣＩＥ標準観測者との色特性の相違として、Ｌａｂ法によれば、どの色方向にどの程度の相違があるかが見出せることになる。なぜなら、たとえば、無彩色の場合は、色票がたとえフラットであっても、等色するモニタ発色はＲＧＢ混色となるために、眼の等色関数が標準値と異なればＸＹＺ値が異なり、等色しなくなるからである。  したがって、本発明の色覚判定機能は、色覚科学の未知部分の解明にも大きく役立て得ることであり、これも、発明がもたらすきわめて大きな効果である。  これまでの同一出願人の色覚関連文献としては、特願２００２ー３０７６６０、特願２００２ー３１３５０９、特願２００２ー２７２２８５、特願２００５ー１５４５６９、特願２００６ー１３４４９０、特願２００７ー１２５０１５等がある。
【００２４】  本発明は以上のべたように、これまで明快に解決できなかった光源色問題、減法混色問題から色覚問題にいたるまだ解決されていない未解決の問題解明、および色彩学と実際の色彩実務、また遅れている色彩知識と色彩教育の飛躍的向上、改善に大きく役立てることが可能になる。
【実施例】
【００２５】  図１は、ｉＰｈｏｎｅなどスマホに類するタブレット端末の電源１２を入れ、本発明の＜ＣＩＥデジタル色標準＞システムを画面に呼び出した場合の一実施例である。  本体１のモニタ画面２には、大別して比色窓部、フィルターボタン部、透過・反射切り換え部と光源切り換え部からなり、比色窓３の一方にモニタ発色部とそれに接して等ＲＧＢ２５６をもつホワイトスペース（白色）部がある。そして、フィルターボタン操作によって単独または組み合わせた各フィルターの分光透過率から計算されるＣＩＥ色計算結果が数値表示部６に表示されるとともに、計算された正しい色が発色部４に表示される。そして、ボタン９によって透過の場合と反射の場合の切り換えを、また光源切り換ボタン１０によって各種光源に応じた数値と発色が表示される。各種ボタンは押すとボタンの明暗が反転し、もう一度押すと数値、色表示とともに消え、クリアボタンによりすべてが初期状態にもどるよう構成されている。【００２６】  図２は、３０Ｃのボタンを押し、３０Ｃフィルターを透過色（Ｔ）として表示した場合の状態を示すと同時に、３０Ｃフィルターをホワイトスペースに位置させた測定状態を示す説明図である。数値表示部６には３０ＣフィルターのＣＩＥ表色系の色特性が示されるとともに、３０Ｃフィルター数値値をもつ正しい色が発色部４に発色するよう調整されている。  したがって、図のように現物の３０Ｃフィルターをホワイトスペースに位置させて４と５位置を比色すると、適切な状態でＣＩＥ標準観測者において等色することになる。【００２７】  ここではコダックのＣＣフィルターが用いられているが、その計算値はカタログ表示値に近似し、発色もほぼ一致する。ということは正確な計算と色表示、また測色が可能になるという証明となる。これは他のＣＭＹ、ＮＤボタンの組み合わせをおこなった場合も同じ関係にあり、適切なモニタ状態において、多数のボタンを押す状態（フィルターを多数重ねた状態）でも、透過色の場合はとくに、驚くほど近似等色する。  ということは、透過色はもっとも淡い０２５段階で多数のほとんど無段階といえる厖大な透過色を正しく色表示して混色でき、比色・等色によりこれまで視感測色できなかった透過色が容易、確実に測れるというまさに前代未聞の革命的測色が可能になる。これは大変な出来事なのである。透過色の視感標準はこれまで世界に存在しなかった。それが、現物のフィルターもなしに、端末で容易安価に得られるというのは、専門家でも信じがたいことであろう。  しかも、有害分光吸収のない理想のブロック型仮想分光分布によるＣＭＹ計算とその発色によれば、従来の減法混色範囲をはるかに超え、ＲＧＢ混色に近い広い色空間での従来できなかった色取り扱いが可能になる。【００２８】  図３は、Ｃ光源による反射色の測定状態の一例を示したものである。光源切り換ボタン１０を反射（Ｒ）に切り換えると、原理的には３０Ｃフィルターを白色面に密着させて光がフィルターを二回通過したときと同様の色計算結果が数値表示部６に、その計算色が発色部４に発色する。  反射色はＣ光源、Ｄ６５等においてマンセルＨＶＣ値が表示される。Ｃ光源で３０Ｃ／Ｒの場合のＨＶＣは（Ｈ５．０Ｂ  Ｖ８．０／Ｃ５．４）���あり、ＪＩＳ標準色票に５はないが、そこにあるＣ４より１．４高い位置に入るべき色が発色している。つまり、この＜ＣＩＥデジタル色標準＞ではＪＩＳ標準色票にはない高彩度色、また色票にはない中間値の正確な数値とその色を、０２５単位、または０１７５単位で、無限とも云える厖大な数の表測色が可能になる。  また、やはり従来法では困難であった分光カーブ、色度図、各種数値また色名からの色検索、色彩事典機能などは、ボタン操作、画面を次ページに送る、あるいは端末の見開き機能等により、より多機能で総合的な＜ＣＩＥデジタル色標準＞システムとして表色系機能を充実させることが可能になる。【００２９】  図４は、比色・等色操作において、正確な比色・等色操作をおこなうために比色窓１７を有する比色マスク１６を用いた場合の説明図である。この場合厳密に調整すれば、標準的観測者において、二つの比色窓の一方にあるデジタル色、他方にある被測定色が区別できないほど同色に等色して見えることになる。【００３０】  図５は、端末裏面に、各種標準光源と同じ色質を有する照明光源をもたらして反射色の測色を可能にした場合の比色、等色操作状態を示す側面説明図である。その照明光源部１８を開くと操作光源と同じＣＩＥ表色系各種Ａ、Ｂ、Ｃ、Ｄ５０，５５，６５標準光を発光させて被測色部を照明可能に構成することによって、指定光源による反射色の理想的な厳密正確な比色、測色を可能とし、視感測色計として完結させることができる。その照明光源はモニタ色として容易につくることができ、見開き式の一方のモニタで発光させることも、またアダプターとして供給することもできる。【００３１】  図６は、ｉＰａｄのような大型タブレットの場合の一実施例である。この場合は各色の分光曲線１６と同時に、ｘ、ｙから得た色度図１７が同時画面に表示されるので、各色ごと、反射色（Ｔ）は分光透過率、反射色（Ｒ）は分光反射率として、またその色度図上の位置が判明するよう構成されている。各フィルター、透過・反射、光源ボタン操作により、分光カーブと色度点の連続的変化をみることで、これまで不明の各色特性が非常にわかりやすく理解可能になる。【００３２】  本発明では更に、オプションボタン１８を開くことにより、たとえば分光透過率、分光反射率を入力すればＣＩＥ計算結果ともモニタ発色が得られる計算メニューをもたらし、計算色の色名の検索、また、任意の色名また任意のＨＶＣ数値からその色を検索して表示させることにより、従来の色彩事典、色百科のような機能を可能にし、より多機能な色彩システムとして展開し充実させることが可能になる。  本発明は、このように構成することによって、すべての色は、数値とモニタ発色、そして分光カーブと色度図で示されるその色の全体像のすべてが把握可能になり、これまで不可解であった色が誰にでも明快に理解可能になり、色彩教育に用いれば色彩学と色彩知識の、また色彩実務の改善、色彩感覚の向上、色覚判定等、広い範囲で大きく役立たせることが可能になる。【００３３】  図７は、本発明のＣＭＹおよびＮＤ（無彩色）発色を、有害分光吸収のない仮想ブロック型の理想の分光分布（図８の２５、２７、２９のみの）を原色（色計算基礎色）として用い、これを��階的、または連続的に変化するようにして自由な混色を可能にした場合の実施例である。  本発明では、２３の各アップダウンキーを操作することによって、ＣＭＹＮを別々に無段階的、連続的に混色ができ、迅速自在に減法混色が可能になり、その数値と色が２２に表示されるよう構成されている。この場合、分光分布図は一部は曲線とならず図８類似のものとなる。  現実にある通常のＣＭＹフィルターには図８の灰色で示した有害分光吸収があり、これが重合されて色の歪み生じさせるが、その弊害がまったくない理想の混色が可能となり、明度はＮＤ濃度をやはり段階的、連続的に変えることにより、フィルターの分光計算ではできない、高彩度色を含むほぼ無限の混色と視感測色を可能にする。【００３４】  図８は、現実のＣＭＹフィルターがもつ有害分光吸収の説明図である。有害分光吸収とは、本来の目的とするＲＧＢ光（ＣはーＲ、ＭはーＧ、ＹはーＢ）だけでなく、それ以外の望ましくない吸収をいう。ここでは、実際のＣＣフィルターの５０ＣＭＹ三枚のフィルターの分光透過率の平均値としてブロック的にその有害分光吸収部分（２６、２８、３０）を灰色で示してある。  つまり、各５０ＣＭＹ三枚のフィルターの目的とする吸収域は、Ｃ色素は２５にてＲ光、Ｍ色素は２７にてＧ光、Ｙ色素は２９にてＢ光なのであるが、実際にはそれ以外にＣ色素は２６、Ｍ色素は２８、Ｙ色素は３０という好ましくない有害な分光吸収があるために、色が歪みまたあざやかさが低下し高彩度色をつくることはできないわけだから、色材による減法混色では事実加法混色と比較すると色度図上においてもその色空間領域は著しく限定される。【００３５】  そのために、従来のＣＭＹフィルター法では高彩度色への対応度が低いという欠陥があったが、本発明では上記した有害分光吸収のない（Ｖｉｒｔｕａｌ）モードをつくりこれを使用することによって、その問題を全面的に解決可能にしてある。たとえば５０ＣＭＹは図８において有害吸収部分（２６、２８、３０）を除外した２５、２７、２９の純色部分で計算され、あざやかな混色がかのうとなり、２５＋２７＋２９部分で完全な無彩色ができる。  本発明の混色結果がいかに厳密であるかをその計算例を図９に示す。この各検証値は、フィルターカタログ値とほとんど一致し、ＢｌｏｃＫ法による数値も、また発色もきわめて近似する。数値が合えば目視色も合う。そして色が合えば数値も合致する。それは混色法、また表色法としての正当性と整合性の証明である。【００３６】（光源色判定）  従来は、条件等色を応用した光色判定用の色票があるが、ＸＹＺ、ｘｙ、また色温度などは判らず厳密なＣＩＥ測色値を知るには高価な色温度計（カラーメーター）が必要であった。  しかし、本発明では、視感判定によって、安価しかも厳密に光源色のＣＩＥ数値を得ることが可能になる。  図３においてその原理を説明すると、１５位置に無彩色のグレイスケール段階をおき光源からの照明光と４のモニタ発色両者の明暗と色が等しくなるよう、光源の種類を選択し、ＮＤボタンと、ＣＭＹボタン操作で等色をおこなう。  こうして、グレイスケールと等色したときのｘｙを読み取ればそれが光源の色度であり、色度から光源の色温度°Ｋ数値、またＪＩＳの「���光ランプの光源色の色度範囲」をもとに蛍光灯の種類（Ｄ、Ｎ、Ｗ、ＷＷ等）を検出可能となる。【００３７】  人工光源では、グレイスケール反射光の明るさは光源からの距離によって変化するので、適当に光源との距離を調節することにより等色が可能になる。したがって、簡易的には、図３の５ｂ位置に無色反射板シールをもたらして等色可能にすることができる。  本発明では、照明する光源の色質によって色特性が変化するその様子は、光源ボタンの切り換えにより、色の変化を数値的、また視覚的にしることができるが、この光色判定機能により従来できなかったきわめて厳密な色特性の検証が可能になる。  つまり、色度ｘｙは、色度図での位置を示すから、色温度軌跡から外れた色特性が判明するので、同じ色温度値でもＧ方向、Ｍ方向にどの程度ずれているか、ミックス光源などの標準光源に該当しない光源色の判定を可能にする機能を有するということである。  図１０は  その比色を容易厳密におこなえるようにした比色用アダプター装置の一実施例の側面図である。この例では、アダプター装置本体３３をタブレット３１に装着すると、タブレットの発色部３２の＜デジタル色標準＞の発色光３７とアダプター本体の上部にある受光窓からの入射光（照明光）３８がグラスファイバー３６を通過し、アイカップ比色部５に、図１１に示すように発色光３７と照明光３８として併置され、比色可能となり、両者を等色させることによって上記目的を達成することが可能にしている。【００３８】（色覚判定）  また、この比色用アダプター装置は色覚判定において厳密判定用として用いることができる。つまり、本発明は視感判定法であるかぎり、得られるｘｙ値はあくまで個人的観測データにすぎず、その値は観測者の等色関数しだいで異なってくることになる。したがって、ＣＩＥ標準観測者の値、つまり光電式カラーメータ等、また多数者判定値等との偏差を見出せば、それがその個人観測者の眼の色特性として、フィルムやカメラがもつ個々の色特性同様に、個人の色覚特性として扱うことが可能になり、本発明ではこれまでの色体系では扱えなかった光源の問題に加え色覚問題をも含めた総合的色問題の解決が可能になる。
【産業上の利用可能性】
【００３９】  本発明は、色に関わるあらゆる分野で、光源問題から、混色、測色、色調整、色覚問題にいたる色に関わるあらゆる問題を、タブレット（多機能携帯端末）でＣＩＥ表色法による高精度な色計算でＣＭＹの減法混色値が透過色としてまた反射色として見出せその加減算結果をモニタ画面上に計算値とその数値に対応する正しい＜ＣＩＥデジタル色標準＞色を、＜Ａｃｔｕａｌ＞、＜Ｖｅｒｔｕａｌ＞別、光源別、標準光源別に表示でき、これまでの顕色系ではほとんど不能であった光源色のｘｙ、色温度を検出可能な、マンセル色票の機能をはるかに超えた、しかも基本ソフトも、特別なオプションモード等もネットからのダウンロードで廉価に供給できる、史上はじめて、万人共通の色計算機能をもつ総合色彩体系として、またＣＩＥ視覚デジタル色標準として、国境をまたいで世界中のあらゆる産業と業務、生活全般に利用可能となる世界初の総合色システムである。【００４０】（実務、生活）  本発明では物体色だけでなく光源特性をも含めてほぼ無限の色をつくり色判定ができるその機能により、常にカラーメータ、光電色彩計、色計算尺、色総合事典を携帯するに等しく、色に関し実務から生活全般のあらゆる局面で厳密な取り扱いが可能になる。  色材業界ではインク、染料、顔料、食品ほか、あらゆる実務で、厳密計算とモニタ発色によって、製品の反射色と透過色、光源による反射、透過の色変化といった、従来はまったくできなかった高彩度色の色取り扱いも、原色の分光分布を入力できるオプションメニューにより、色材ごとの混色結果を多様なモードで対応可能となる。  染料調整、色材調整、インク調整そのほかあらゆる色調整や補正において、色の加減算で希望の色にするには何色をどれだけ加えればよいか、減じればよいのか、といった補正値が具体的にわかるので産業、工業製品関係はもちろん、絵画、デザイン、印刷方面でもオフセットおよびインクジェットプリントにおける色の刷り重ね、色混合、色分析、インク色の加算減算、着色紙への印刷インク色の選択、絵の具また染料混色の予測のためのシミュレーションも同様、試行錯誤少なく希望の調整値を、光源変化を含めて素早くつかむことが可能になる。色を扱うあらゆる分野の厳密混色と測色、調色に役立つということである。【００４１】  そしてステンドグラス、着色ガラス、プラスチックス、製品等々ワインやコーヒー、ジュースの色といった、これまで容易には測ることができなかった高彩度色を含む透過色問題は、本発明の光源色判定機能によってまさに革命的により世界ではじめて厳密解決が可能となる。  一般生活では、衣類や生活用品の選択、光源によって色が同変わるかがわかり、それらの色もカメラで撮影可能とはいえ、必ずしも正しい記録は困難であり、測色的に記録できるものではないが、本発明では光源色、透過色を含む物体色についても多くの問題の解決が可能になる。【００４２】（色彩科学教育、学習）  三原色時代にあっては、三原色、また減法混色、ＣＩＥ表色法は本来欠かせない知識であるにもかかわらず、色彩教育が大きく立ち遅れているのは、それらを理解するための適切な色モノサシが欠けているからである。ＣＩＥ表色法を視感で扱える本発明では、混色結果、透過と反射の���違、光源による相違、光源による変化、すべての色計算結果が数値と発色、分光カーブと色度図で示されるので理解が容易となり、色とは何かが、光色を含めその全体像の把握がＣＩＥ表色法に即して理解可能になる。  とりわけ、現実のフィルター色と仮想分光分布による混色との色空間の相違を同時に比較しながら、数値と発色でその相違を検証できる効果は、色彩学を飛躍的に発展させ、色彩科学教育と学習の飛躍的レベルアップに大きく役立つことになる。【００４３】  したがって、ＣＩＥ表色法はこれまでは大学レベルの難解なものとされたが、ボタン操作の色シミュレーションは、小学生レベルでも興味をいだき受容され、したがって算数や理科、美術、総合授業で、色合わせをゲーム感覚で、たとえば、目的色を示してよーいドンで誰が早く色合わせができるかなどを競わせたりすれば、遊び心で理科力が養成され、何故色が合うのかという疑問が湧けば科学力の強化につながり、色は感覚だがＣＩＥは数学だから、数学で右脳と左脳のドッキングができ、同時に、疑問を問い、思考する能力を養うことができる点で、最たる教育改革法ともなろう。感覚とともに頭を使うことになるので科学立国の幼児教育にも最適であろうと考えるものである。【００４４】（色覚分野）  すでにのべたように、本発明では観測者の色感がＣＩＥ等色関数と異なると合致しないという問題があるが、さきに示した文献の応用によって、個々の眼の色感特性の判定、色覚の解明が可能になり、色覚科学方面でも大きく役立て得ることができる。  混色から表色、測色、色計算、色補正、減法混色、色覚問題までを守備範囲にできる色体系はこれまでになかった。その機能は、総合デジタル色体系として色彩科学の発展、進歩、改善に大きく貢献することが可能となる。
【図面の簡単な説明】
【００４５】
【図１】携帯端末本体の正面説明図
【図２】透過色（３０Ｃフィルター）の測定状態を示す正面説明図
【図３】反射色の測定状態を示す正面説明図
【図４】比色・等色操作状態を示す正面説明図
【図５】比色・等色操作状態を示す側面説明図
【図６】大型タブレットのモニタ画面部の正面説明図
【図７】アップダウンキー操作でＣＭＹＮの混色値調整を可能にした実施例の正面図
【図８】ＣＭＹの平均分光分布図
【図９】５０ＣＭＹフィルターの検証数値
【図１０】比色用アダプター装置の側面図
【図１１】アイカップ比色部の上方からみた正面図
【符号の説明】
【００４６】１    携帯端末本体２    モニタ画面３    比色窓４    発色部５    ホワイトスペース５ｂ  無色反射板シール６    数値表示部７    ＣＭＹフィルターボタン部８    ＮＤフィルターボタン部９    透過・反射切り換えボタン１０    光源切り換ボタン部１１    クリアボタン１２    電源ボタン１３    ３０Ｃフィルター１４    被測定色１５    標準色票１６    比色マスク１７    比色窓１８    照明光源部１９    分光曲線窓２０    色度図窓２１    ＯＰボタン２２    ＣＭＹＮ数値表示部２３    各アップダウンキー２４    透過するＲＧＢ光範囲２５    Ｃ色素範囲２６    Ｃ色素範囲に含まれる有害分光吸収２７    Ｍ色素範囲２８    Ｍ色素範囲に含まれる有害分光吸収２９    Ｙ色素範囲３０    Ｙ色素範囲に含まれる有害分光吸収３１    タブレット３２    発色部３３    比色用アダプター装置本体３４    受光窓３５    アイカップ比色部３６    グラスファイバー３７    発色光３８    照明光
【図１】
2014207647.tif 000003
【図２】
2014207647.tif 000004
【図３】
2014207647.tif 000005
【図４】
2014207647.tif 000006
【図５】
2014207647.tif 000007
【図６】
2014207647.tif 000008
【図７】
2014207647.tif 000009
【図８】
2014207647.tif 000010
【図９】
2014207647.tif 000011
【図１０】
2014207647.tif 000012
【図１１】
2014207647.tif 000013
【手続補正書】
【提出日】平成25年9月25日(2013.9.25)
【手続補正１】
【補正対象書類名】明細書
【補正対象項目名】００１８
【補正方法】変更
【補正の内容】
【００１８】（反射色）
すなわち、透過色の場合は本発明の検証データ図９のように、また、反射色については、校正法として各種ＮＤフィルターボタンによりＮＤ色を表示させ、光源ボタンを反射（Ｒ）ボタンに切り換え、標準光源下で同一ＮＤ値のＮＤ色票（たとえば１０ＮＤボタン（Ｙ６３．２３）に対しては反射濃度０．２番（Ｙ６３．０９）の無彩色色票）とモニタ色を、本体に備えられた「明るさ設定」により両者の明るさが等しくなるように調整すればよく、モニタＮＤ色が標準ＮＤ色票の反射率と近似させれば、たとえばタバコのハイライトと近似する
＜４５Ｃ＋１０Ｍ＋０２５Ｙ／反射／Ｃ光源＞のモニタ計算値ＨＶ／Ｃ＝２．５ＰＢ／５．３／６、Ｙ＝２２．０８、ｘ＝０．２３５、ｙ＝０．２５０（光源Ｃ）に対するＪＩＳ標準色票２．５ＰＢ／５／６のカタログ記載値
Ｙ＝１９．２７、ｘ＝０．２３６  ５、ｙ＝０．２４８  ８とｘｙがほとんど同値を示し、モニタ発色もＹ３％差の色票とまったく違和感のない恐ろしいほどの整合性が得られる。このように、現物フィルターカラースケールではできないきわめて厳密な測色精度で反射測色値が得られる。多くの事例についてこのような証拠物件の提出が可能である。
こうして、冒頭の１）で述べた問題（現物フィルターの有害分光吸収、表面反射、その間の多重反射、重ねる順序による弊害）のない計算色が得られるとともに、かつてない広い色空間において色がはじめて顔料、染料等の色材を使わずに携帯端末によって数百万色という厖大な数の測色が可能になるという、まさに夢の画期的な新＜ＣＩＥデジタル色標準＞表測色法の誕生が可能になった。
【手続補正２】
【補正対象書類名】明細書
【補正対象項目名】００３０
【補正方法】変更
【補正の内容】
【００３０】  図５は、端末裏面に、各種標準光源と同じ色質を有する照明光源をもたらして反射色の測色を可能にした場合の比色、等色操作状態を示す側面説明図である。その照明光源部１８を開くと操作光源と同じＣＩＥ表色系各種Ａ、Ｂ、Ｃ、Ｄ５０，５５，６５標準光を発光させて被測色部を照明可能に構成することによって、指定光源による反射色の理想的な厳密正確な比色、測色を可能とし、視感測色計として完結させることができる。その照明光源はモニタ色として容易につくることができ、オプションボタンによってそのモニタ画面また見開き式の一方のモニタで発光させることも、またアダプターとして供給することもできる。そして、それは標準光源であるから、正しい色を観察するときの照明にも役立てることができる。